【手続補正書】
【提出日】平成17年10月4日(2005.10.4)
【手続補正１】
【補正対象書類名】明細書
【補正対象項目名】全文
【補正方法】変更
【補正の内容】
【書類名】        明細書
【発明の名称】    梯子等における中間部材の渡し止め装置ならびにこれを備えた梯子、柵、階段およびパレット
【特許請求の範囲】
【請求項１】  平行な二本の桁部材間に複数の中間部材が並列状に渡し止められる梯子等における中間部材の渡し止め装置であって、両桁部材の内面にそれらの長さ方向に伸びる中空状凸条が両桁部材間で対向状に設けられ、これら凸条には互いに同じ間隔をあけて多数のスリットが形成されて、隣合うスリット間の凸条が嵌合用凸部となされており、中間部材は角筒状で桁部材の嵌合用凸部が嵌め入れられる嵌合用中空部および中空部の両側にそれぞれ桁部材のスリットに圧入される差し込み用壁を有しており、中間部材の両端における嵌合用中空部に桁部材の嵌合用凸部が嵌め入れられると共に嵌合用凸部両側のスリットに中間部材の差し込み用壁が圧入されている、梯子等における中間部材の渡し止め装置。
【請求項２】  平行な二本の桁部材間に複数の中間部材が並列状に渡し止められる梯子等における中間部材の渡し止め装置であって、両桁部材の内面にそれらの長さ方向に伸びる複数の中空状凸条が桁部材の幅方向に間隔をあけて、かつ両桁部材間で対向状に設けられ、それぞれ対向する凸条には互いに同じ間隔をあけて多数のスリットが形成されて、隣合うスリット間の凸条が嵌合用凸部となされ、嵌合用凸部は、各桁部材の異なる凸条における嵌合用凸部同士が一組となって中間部材の端部を止めるように設けられており、中間部材は中空板状で桁部材における一組の嵌合用凸部が嵌め入れられる複数の嵌合用中空部およびこれら中空部の両側にそれぞれ桁部材のスリットに圧入される差し込み用壁を有しており、中間部材の両端における嵌合用中空部に両側の桁部材における一組の嵌合用凸部がそれぞれ嵌め入れられると共に各嵌合用凸部両側のスリットに中間部材の差し込み用壁が圧入されている、梯子等における中間部材の渡し止め装置。
【請求項３】  平行な二本の桁部材間に踏み子となる多数の中間部材が並列状に渡し止められた梯子であって、両桁部材の内面にそれらの長さ方向に伸びる中空状凸条が両桁部材間で対向状に設けられ、これら凸条には互いに同じ間隔をあけて左右一対のスリットが多数形成されて、隣合うスリット間の凸条が嵌合用凸部となされており、中間部材は角筒状でその内部が桁部材の嵌合用凸部が嵌め入れられる嵌合用中空部となされ、中空部の両側がそれぞれ桁部材のスリットに圧入される差し込み用壁となされており、中間部材の両端における嵌合用中空部に桁部材の嵌合用凸部が嵌め入れられると共に嵌合用凸部両側のスリットに中間部材の差し込み用壁が圧入されている、梯子。
【請求項４】  水平方向に伸びる上下の平行な二本の桁部材間に多数の中間部材が並列状に渡し止められ、両桁部材の内面にそれらの長さ方向に伸びる中空状凸条が両桁部材間で対向状に設けられ、これら凸条には互いに同じ間隔をあけて多数のスリットが形成されて、隣合うスリット間の凸条が嵌合用凸部となされており、中間部材は角筒状で桁部材の嵌合用凸部が嵌め入れられる嵌合用中空部および中空部の両側にそれぞれ桁部材のスリットに圧入される差し込み用壁を有しており、中間部材の両端における嵌合用中空部に桁部材の嵌合用凸部が嵌め入れられると共に嵌合用凸部両側のスリットに中間部材の差し込み用壁が圧入されている、柵。
【請求項５】  平行な二本の桁部材間に段板となる多数の中間部材が一定間隔をあけて並列状に渡し止められた建築工事現場の足場に使用される階段であって、両桁部材の内面にそれらの長さ方向に伸びる左右二本の中空状凸条が桁部材の幅方向に間隔をあけて、かつ両桁部材間で対向状に設けられ、それぞれ対向する凸条には互いに同じ間隔をあけて隣合う一対の傾斜状スリットが形成され、かつ左側凸条のスリットと右側凸条のスリットとは、該スリットの傾斜角度に相当する分だけずれて形成され、隣合うスリット間の凸条が嵌合用凸部となされ、斜め方向に隣合う嵌合用凸部同士が一組となって中間部材の端部を止める配置となされており、中間部材は中空板状で桁部材における一組の嵌合用凸部が嵌め入れられる二つの嵌合用中空部およびこれら中空部の両側にそれぞれ桁部材のスリットに圧入される差し込み用壁を有しており、中間部材の両端における嵌合用中空部に両側の桁部材における一組の嵌合用凸部がそれぞれ嵌め入れられると共に各嵌合用凸部両側のスリットに中間部材の差し込み用壁が圧入されている、階段。
【請求項６】  平行な二本の桁部材間にデッキボードとなる複数の中間部材が並列状に渡し止められた物流に使用されるパレットであって、両桁部材の内面にそれらの長さ方向に伸びる中空状凸条が両桁部材間で対向状に設けられ、これら凸条には四本一組のスリットが所要間隔をあけて形成され、これらスリット間の凸条が嵌合用凸部となされており、中間部材は中空板状で桁部材の嵌合用凸部が嵌め入れられる３つの嵌合用中空部およびこれら中空部の両側にそれぞれ桁部材のスリットに圧入される差し込み用壁を有しており、中間部材の両端における嵌合用中空部に桁部材の嵌合用凸部が嵌め入れられると共に嵌合用凸部両側のスリットに中間部材の差し込み用壁が圧入されている、パレット。
【発明の詳細な説明】
【０００１】
【発明の属する技術分野】
本発明は、梯子、柵、階段、パレット等において、それらの両桁部材間に複数の中間部材を並列状に渡し止めるための中間部材の渡し止め装置ならびにこれを備えた梯子、柵、階段およびパレットに関する。
【０００２】
【従来の技術】
従来、中間部材を両桁部材間に渡し止める手段としては、以下に述べるようなものが知られている。
【０００３】
すなわち、図９に示すように、桁部材(71)の内面(71a) に中間部材(72)の端部(72a) を溶接したり、図１０に示すように、桁部材(81)に予め間隔をあけて開口部(82)を設けておき、開口部(82)の縁部(82a) 外側に中間部材(83)の鍔部(84)を係止すると共に中間部材(83)にかしめ、またはバルジ加工を行って桁部材(81)の開口部(82)の縁部(82a) 内側へ突出する凸部(85)を形成することにより、桁部材(81)の開口部(82)に中間部材(83)の端部を止めていた。
【０００４】
この他、図１１に示すように、桁部材(91)に透孔(92)を形成しおき、透孔(92)にボルト(93)を挿入して、該ボルト(93)を中間部材(94)の先端部内に固定されたナット(95)に嵌め入れることにより、桁部材(91)と中間部材(94)とを接続したり、或は図１２に示すように、桁部材(101) の内面に一対の凸条(102) を設け、該凸条(102) 間に中間部材(103) の端部を挿入すると共に凸条(102) に設けた透孔(104) からリベット(94)  を打ち込むことにより、桁部材(101) に中間部材(94) を止めていた。
【０００５】
【発明が解決しようとする課題】
しかしながら、図９に示した溶接による場合には、桁部材(71)と中間部材(72)の接続を確実にするために、中間部材(72)の端部(72a) の全周を溶接する必要があることから、梯子や階段等の製造に適用した場合には、溶接箇所が非常に多くなって製造に多大な時間がかかると共に、溶接部分の劣化が生ずるという欠点があった。
【０００６】
図１０に示した、かしめ、またはバルジ加工による場合、梯子や階段等を構成するためには、桁部材(81)に多数の開口部(82)を一定間隔で設ける必要があることから、梯子や階段等として十分な強度が得難く、また、かしめ、またはバルジ加工を行う専用機械が必要になる等の問題があった。
【００７】
図１１に示したボルト(93)・ナット(95)による場合および図１２に示したリベット(103) による場合には、部品数が非常に多くなり、また梯子、階段等の廃棄後のリサイクルする場合、ボルト(93)・ナット(95)およびリベット(103) が桁部材(91)(101) および中間部材(94)(103) と異なる材質であるため、これらボルト(93)・ナット(95)およびリベット(103) をすべて取り外さなければならないことになり、事実上リサイクルが非常に困難であった。
【０００８】
本発明の目的は、上述した種々の問題を解消することができ、製造が容易で、補助部品等が要らず、強度的にも優れており、またリサイクルも容易に行える梯子等における中間部材の渡し止め装置を提供することにある。
【０００９】
【課題を解決するための手段】
請求項１の発明による梯子等における中間部材の渡し止め装置は、平行な二本の桁部材間に複数の中間部材が並列状に渡し止められる梯子等における中間部材の渡し止め装置であって、両桁部材の内面にそれらの長さ方向に伸びる中空状凸条が両桁部材間で対向状に設けられ、これら凸条には互いに同じ間隔をあけて多数のスリットが形成されて、隣合うスリット間の凸条が嵌合用凸部となされており、中間部材は角筒状で桁部材の嵌合用凸部が嵌め入れられる嵌合用中空部および中空部の両側にそれぞれ桁部材のスリットに圧入される差し込み用壁を有しており、中間部材の両端における嵌合用中空部に桁部材の嵌合用凸部が嵌め入れられると共に嵌合用凸部両側のスリットに中間部材の差し込み用壁が圧入されているものである。
【００１０】
請求項２の発明による梯子等における中間部材の渡し止め装置は、平行な二本の桁部材間に複数の中間部材が並列状に渡し止められる梯子等における中間部材の渡し止め装置であって、両桁部材の内面にそれらの長さ方向に伸びる複数の中空状凸条が桁部材の幅方向に間隔をあけて、かつ両桁部材間で対向状に設けられ、それぞれ対向する凸条には互いに同じ間隔をあけて多数のスリットが形成されて、隣合うスリット間の凸条が嵌合用凸部となされ、嵌合用凸部は、各桁部材の異なる凸条における嵌合用凸部同士が一組となって中間部材の端部を止めるように設けられており、中間部材は中空板状で桁部材における一組の嵌合用凸部が嵌め入れられる複数の嵌合用中空部およびこれら中空部の両側にそれぞれ桁部材のスリットに圧入される差し込み用壁を有しており、中間部材の両端における嵌合用中空部に両側の桁部材における一組の嵌合用凸部がそれぞれ嵌め入れられると共に各嵌合用凸部両側のスリットに中間部材の差し込み用壁が圧入されているものである。
【００１１】
上述したいずれの本発明においても、両側の桁部材内面に間隔をあけて形成された嵌合用凸部に中間部材の嵌合用中空部を嵌め合わせると共に嵌合用凸部両側のスリットに中間部材の差し込み用壁を圧入するだけで、両側の桁部材間に中間部材が並列状に渡し止められる。
【００１２】
請求項３の発明によ梯子は、平行な二本の桁部材間に踏み子となる多数の中間部材が並列状に渡し止められ、両桁部材の内面にそれらの長さ方向に伸びる中空状凸条が両桁部材間で対向状に設けられ、これら凸条には互いに同じ間隔をあけて左右一対のスリットが多数形成されて、隣合うスリット間の凸条が嵌合用凸部となされており、中間部材は角筒状でその内部が桁部材の嵌合用凸部が嵌め入れられる嵌合用中空部となされ、中空部の両側がそれぞれ桁部材のスリットに圧入される差し込み用壁となされており、中間部材の両端における嵌合用中空部に桁部材の嵌合用凸部が嵌め入れられると共に嵌合用凸部両側のスリットに中間部材の差し込み用壁が圧入されているものである。
【００１３】
請求項４の発明による柵は、水平方向に伸びる上下の平行な二本の桁部材間に多数の中間部材が並列状に渡し止められ、両桁部材の内面にそれらの長さ方向に伸びる中空状凸条が両桁部材間で対向状に設けられ、これら凸条には互いに同じ間隔をあけて多数のスリットが形成されて、隣合うスリット間の凸条が嵌合用凸部となされており、中間部材は筒状で桁部材の嵌合用凸部が嵌め入れられる嵌合用中空部および中空部の両側にそれぞれ桁部材のスリットに圧入される差し込み用壁を有しており、中間部材の両端における嵌合用中空部に桁部材の嵌合用凸部が嵌め入れられると共に嵌合用凸部両側のスリットに中間部材の差し込み用壁が圧入されているものである。
【００１４】
請求項５の発明による階段は、平行な二本の桁部材間に段板となる多数の中間部材が一定間隔をあけて並列状に渡し止められた建築工事現場の足場に使用される階段であって、両桁部材の内面にそれらの長さ方向に伸びる左右二本の中空状凸条が桁部材の幅方向に間隔をあけて、かつ両桁部材間で対向状に設けられ、それぞれ対向する凸条には互いに同じ間隔をあけて隣合う一対の傾斜状スリットが形成され、かつ左側凸条のスリットと右側凸条のスリットとは、該スリットの傾斜角度に相当する分だけずれて形成され、隣合うスリット間の凸条が嵌合用凸部となされ、斜め方向に隣合う嵌合用凸部同士が一組となって中間部材の端部を止める配置となされており、中間部材は中空板状で桁部材における一組の嵌合用凸部が嵌め入れられる二つの嵌合用中空部およびこれら中空部の両側にそれぞれ桁部材のスリットに圧入される差し込み用壁を有しており、中間部材の両端における嵌合用中空部に両側の桁部材における一組の嵌合用凸部がそれぞれ嵌め入れられると共に各嵌合用凸部両側のスリットに中間部材の差し込み用壁が圧入されているものである。
【００１５】
請求項６の発明によるパレットは、平行な二本の桁部材間にデッキボードとなる複数の中間部材(3が並列状に渡し止められた物流に使用されるパレットであって、両桁部材の内面にそれらの長さ方向に伸びる中空状凸条が両桁部材間で対向状に設けられ、これら凸条には四本一組のスリットが所要間隔をあけて形成され、これらスリット間の凸条が嵌合用凸部となされており、中間部材は中空板状で桁部材の嵌合用凸部が嵌め入れられる３つの嵌合用中空部およびこれら中空部の両側にそれぞれ桁部材のスリットに圧入される差し込み用壁を有しており、中間部材の両端における嵌合用中空部に桁部材の嵌合用凸部が嵌め入れられると共に嵌合用凸部両側のスリットに中間部材の差し込み用壁が圧入されているものである。
【００１６】
なお、本明細書において、「アルミニウム」という語には、純アルミニウムとアルミニウム合金の両方を含むものとする。
【００１７】
【発明の実施の形態】
次に、本発明の実施の形態を図面にしたがって説明する。
【００１８】
［実施形態１］
本実施形態は、アルミニウム押出形材製の梯子に関するものであって、図１および図２に示されている。すなわち、当該梯子は、平行な二本の桁部材(1) 間に踏み子となる多数の中間部材(2) が一定間隔をあけて並列状に渡し止められたものであり、両桁部材(1) の内面にはそれらの長さ方向に伸びる中空状凸条(3) が両桁部材(1) 間で対向状に設けられ、これら凸条(3) には互いに同じ間隔をあけて左右一対のスリット(4A)(4B)が多数対形成され、隣合うスリット(4A)(4B)間の凸条(3) が嵌合用凸部(5) となされており、中間部材(2) は角筒状であって、その内部が桁部材(1) の嵌合用凸部(5) が嵌め入れられる嵌合用中空部(6) となされ、中空部(6) の両側がそれぞれ桁部材(1) のスリット(4A)(4B)に圧入される差し込み用壁(7) となされている。
【００１９】
桁部材(1) は横断面リップ溝形であり、その中空状凸条(3) の内部には補強壁(3a)が形成されている。
【００２０】
本実施形態の梯子を製造するにあたっては、押出成形した各桁部材(1) の中空状凸条(3) に帯のこ機で一対のスリット(4A)(4B)を所定間隔をあけて形成しておき、これらスリット(4A)(4B)に中間部材(2) の差し込み用壁(7) を圧入すると共に差し込み用壁(7) 間の嵌合用中空部(6) にスリット(4A)(4B)間の嵌合用凸部(5)を嵌め入れるだけで両桁部材(1) に中間部材(2) が渡し止められて、所定の梯子が得られる。
【００２１】
また、上記梯子の製造において、中間部材(2) の嵌合用中空部(6) に桁部材(1)の嵌合用凸部(5) を嵌め入れる際、嵌合用凸部(5) 内の補強壁(3a)によって嵌合用凸部(5) のつぶれが確実に防止される。
【００２１】
［実施形態２］
本実施形態は、バルコニーにおけるアルミニウム押出形材製の柵に関するものであって、図３に示されている。すなわち、当該柵(10)は、水平方向に伸びる上下の平行な二本の桁部材(1) 間に多数の垂直な中間部材(2) が一定間隔をあけて並列に渡し止められたものであり、渡し止めの構造は上記実施形態１と同様である。なお、隣合う柵(10)の間には、バルコニーの床面に立設された支柱(11)が介在されている。 
【００２２】
［実施形態３］
本実施形態は、主として建築工事現場の足場に使用されるアルミニウム押出形材製の階段に関するものであって、図４〜図６に示されている。すなわち、当該階段は、平行な二本の桁部材(21)間に段板となる多数の中間部材(22)が一定間隔をあけて並列状に渡し止められたものであり、両桁部材(21)の内面にはそれらの長さ方向に伸びる左右二本の中空状凸条(23A)(23B)が桁部材(21)の幅方向に間隔をあけて、かつ両桁部材(21)間で対向状に設けられ、それぞれ対向する凸条(23A) 同士および凸条(23B) 同士には互いに同じ間隔をあけて隣合う一対の傾斜状スリット(24A)(24B)が形成され、かつ左側凸条(23A) のスリット(24A)(24B)と右側凸条(23B) のスリット(24A)(24B)とは、該スリット(24A)(24B)の傾斜角度αに相当する分だけずれて形成されている。
【００２３】
そして、隣合う各スリット(24A)(24B)間の凸条(23A)(23B)が嵌合用凸部(25A) (25B) となされ、斜め方向に隣合う嵌合用凸部(25A)(25B)同士が一組となって中間部材(22)の端部を止める配置となされている。
【００２４】
中間部材(22)は中空板状であって、桁部材(21)における一組の嵌合用凸部(25A) (25B) が嵌め入れられる二つの嵌合用中空部(26A)(26B)およびこれら中空部(26A)(26B) の両側にそれぞれ桁部材(21)のスリット(24A)(24B)に圧入される差し込み用壁(27)を有しており、中間部材(22)の両端における嵌合用中空部(26A)(26B)に両側の桁部材(21)における一組の嵌合用凸部(25A)(25B)がそれぞれ嵌め入れられると共に各嵌合用凸部(25A)(25B)両側のスリット(24A)(24B)に中間部材(22)の差し込み用壁(27)が圧入されている。
【００２５】
図６に示すように、桁部材(21)は中空板状であって、左右二本の中空状凸条(23A)(23B)の先端両縁(28)は、中間部材(22)の嵌合用中空部(26A)(26B)への嵌め入れを容易にするため、傾斜状となされている。
【００２６】
図４に示すように、桁部材(21)の両端には、足場の枠体に掛止するためのフック(29)が取付けられている。桁部材(21)の中空状凸条(23A)(23B)に設けられたスリット(24A)(24B)の傾斜角度αは、当該階段を斜めに架設した際に、段板となる各中間部材(22)が水平になるように設定される。
【００２７】
［実施形態４］
本実施形態は、物流に使用されるアルミニウム押出形材製のパレットに関するものであって、図７および図８に示されている。すなわち、平行な二本の桁部材(31)間にデッキボードとなる複数の中間部材(32)が並列状に渡し止められたものであり、両桁部材(31)の内面にはそれらの長さ方向に伸びる中空状凸条(33)が両桁部材(31)間で対向状に設けられ、これら凸条(33)には互いに同じ間隔をあけて多数のスリットが形成されている。具体的には、図８に示すように、４本一組のスリット(34A)(34B)(34C)(34D)が所要間隔をあけて形成され、これらスリット(34A)(34B)(34C)(34D)間の凸条(33) が嵌合用凸部(35A) (35B) (35C) となされており、中間部材(32)は中空板状であって、桁部材(31)の嵌合用凸部(35A) (35B) (35C) が嵌め入れられる３つの嵌合用中空部(36A) (36B) (36C) およびこれら中空部(36A) (36B) (36C) の両側にそれぞれ桁部材(31) のスリット(34A)(34B)(34C)(34D)に圧入される差し込み用壁(37)を有しており、中間部材(32)の両端における嵌合用中空部(36A) (36B) (36C) に桁部材(31)の嵌合用凸部(35A) (35B) (35C) が嵌め入れられると共に嵌合用凸部(35A) (35B) (35C) 両側のスリット(34A)(34B)(34C)(34D)に中間部材(32)の差し込み用壁(37)が圧入されている。
【００２８】
【発明の効果】
本発明によれば、基本的に両側の桁部材内面に間隔をあけて形成された嵌合用凸部に中間部材の嵌合用中空部を嵌め合わせると共に嵌合用凸部両側のスリットに中間部材の差し込み用壁を圧入するだけで、両側の桁部材間に中間部材が並列状に渡し止められる。
【００２９】
従って、従来における種々の中間部材の渡し止め手段に比べて、梯子等の製品を容易に組立てることができ、製造能率を大幅に向上させることが可能となる。
【００３０】
また、本発明では、両側の桁部材と中間部材の両端部とが密嵌される構造であるため、従来の溶接のような劣化の問題もなく、また桁部材自身には従来のバルジ加工等の場合のような開口部を一切設けないため、梯子や階段等として十分な強度が得られ、かつ専用の製造機械等も不要である。更に、本発明では、両側の桁部材と多数の中間部材だけで組立てが行え、ボルトやリベット等の異種材料からなる附属部品も不要であるため、部品数が必要最小限で済み、かつ梯子や階段等の廃棄後のリサイクルも容易に行える等、種々の優れた実用的利点を併有するものである。
【図面の簡単な説明】
【図１】
実施形態１に係る梯子の斜視図である。
【図２】
同実施形態における両側の桁部材への中間部材の渡し止め状態を示す部分拡大斜視断面図である。
【図３】
実施形態２に係るバルコニーの柵の一部を示す正面図である。
【図４】
実施形態３に係る階段の側面図である。
【図５】
同実施形態の階段の部分拡大中央縦断面図である。
【図６】
図５のVI−VI線に沿う断面図である。
【図７】
実施形態４に係るパレットの斜視図である。
【図８】
図７におけるVIII−VIII線に沿う拡大断面図である。
【図９】
溶接に係る従来例を示す一部切欠部分正面図である。
【図１０】
バルジ加工等に係る従来例を示す一部切欠部分正面図である。
【図１１】
ボルト・ナットに係る従来例を示す一部切欠部分正面図である。
【図１２】
リベットに係る従来例を示す一部切欠部分正面図である。
【符号の説明】
(1) (21)(31)：  桁部材
(2) (22)(32)：  中間部材
(3) (23A) (23B) (33)：  中空状凸条
(4A) (4B)  (24A) (24B) (34A) (34B) (34C) (34D)：  スリット
(5) (25A) (25B) (35Ａ) (35B) (35C) ：  嵌合用凸部
(6) (26A) (26B) (36)：  嵌合用中空部
(7) (27)(37)：  差し込み用壁
(10)：  柵
【手続補正２】
【補正対象書類名】図面
【補正対象項目名】図６
【補正方法】変更
【補正の内容】
【図６】
2000129796.tif 000001
【手続補正３】
【補正対象書類名】図面
【補正対象項目名】図１２
【補正方法】変更
【補正の内容】
【図１２】
2000129796.tif 000002